【手続補正書】
【提出日】平成16年7月15日(2004.7.15)
【手続補正１】
【補正対象書類名】特許請求の範囲
【補正対象項目名】全文
【補正方法】変更
【補正の内容】
【特許請求の範囲】
【請求項１】
中に綿撒糸を収容し、中にプランジャーを受容するように構成されたバレルを具備し、このバレルは、前記プランジャーを部分的に収容し、係合するように構成されるフィンガーグリップエリアを有し、このフィンガーグリップエリアは、浮き彫り、リブより他の隆起、スリット、パーフォレーション、ランセット、感圧接着剤およびこれらの組み合わせからなる群から選択される少なくとも１つのグリップ構造を持つ少なくとも１つのほぼ平らにされた表面と、前記バレルと比較して小さい直径とを有する、タンポンアプリケーターであって、
前記少なくとも１つのほぼ平らにされた表面と前記少なくとも１つのグリップ構造とは、前記綿撒糸によっておよび／または前記プランジャーによって、前記バレルに与えられる排出力を克服するグリップ能力を与える、タンポンアプリケーター。
【請求項２】
前記フィンガーグリップエリアは、少なくとも１対の互いに対向し、ほぼ平らにされた表面を備えている、請求項１に記載のタンポンアプリケーター。
【請求項３】
前記フィンガーグリップエリアは、奇数のほぼ平らにされた表面を備え、また、これらほぼ平らにされた表面の少なくとも１つは、１対の隣接したほぼ平らにされた表面に対して径方向で対向している、請求項１に記載のタンポンアプリケーター。
【請求項４】
前記フィンガーグリップエリアは、さらに少なくとも２つの角をなす肩部表面を備えている、請求項１に記載のタンポンアプリケーター。
【請求項５】
前記少なくとも１つのほぼ平らにされた表面は、少なくとも２つのほぼ平らにされた表面であり、前記少なくとも２つの角をなす肩部表面のそれぞれは、前記フィンガーグリップエリアの前記少なくとも２つのほぼ平らにされた表面のそれぞれに隣接して配置されている、請求項４に記載のタンポンアプリケーター。
【請求項６】
前記少なくとも１つのグリップ構造は、前記少なくとも１つのほぼ平らにされた表面の上に高くされている、請求項１に記載のタンポンアプリケーター。
【請求項７】
前記少なくとも１つのグリップ構造は、前記少なくとも１つのほぼ平らにされた表面の下に押し下げられている、請求項１に記載のタンポンアプリケーター。
【請求項８】
前記少なくとも１つのグリップ構造は、前記少なくとも１つのほぼ平らにされた表面の外表面と整列されている、請求項１に記載のタンポンアプリケーター。
【請求項９】
前記少なくとも１つのグリップ構造は、前記少なくとも１つのほぼ平らにされた表面の外表面の方に向って傾斜され、前記少なくとも１つのほぼ平らにされた表面の外表面から離れて傾斜され、それらのあらゆる組み合わせからなる群から選択される位置を有している、請求項１に記載のタンポンアプリケーター。
【請求項１０】
前記タンポンアプリケーターは、さらに、プランジャーを備え、前記プランジャーおよび前記フィンガーグリップエリアは、ほぼ同じ断面形状を有している、請求項１に記載のタンポンアプリケーター。
【請求項１１】
前記断面形状は、矩形、正方形、三角形、六角形からなる群から選択される、請求項１０に記載のタンポンアプリケーター。
【請求項１２】
中に綿撒糸を収容し、中にプランジャーを受容するように構成されるバレルを具備し、このバレルは、前記プランジャーを部分的に収容し、係合するように構成されるフィンガーグリップエリアを有し、このフィンガーグリップエリアは、少なくとも１つのグリップ構造を持つ少なくとも１つの凸状のグリップ表面と、前記フィンガーグリップエリアは、前記バレルに比較して減少された直径とを有するバレルを備えるタンポンアプリケーターであって、
前記少なくとも１つの凸状のグリップ表面および前記少なくとも１つのグリップ構造は、前記綿撒糸によっておよび／または前記プランジャーによって、前記バレルに与えられる排出力を克服するグリップ能力を与える、タンポンアプリケーター。
【請求項１３】
前記フィンガーグリップエリアは、少なくとも１対の互いに対向した凸状のグリップ表面を備えている、請求項１２に記載のタンポンアプリケーター。
【請求項１４】
前記フィンガーグリップエリアは、奇数の凸状のグリップ表面を備え、これら凸状のグリップ表面の少なくとも１つは、１対の隣接した凸状のグリップ表面と径方向で対向している、請求項１２に記載のタンポンアプリケーター。
【請求項１５】
前記フィンガーグリップエリアは、さらに、少なくとも２つ角をなす肩部表面を備えている、請求項１２に記載のタンポンアプリケーター。
【請求項１６】
前記少なくとも１つの凸状のグリップ表面は、少なくとも２つの凸状のグリップ表面であり、また、前記少なくとも２つの角をなす肩部表面は、前記フィンガーグリップエリアの前記少なくとも２つの凸状のグリップ表面のそれぞれに隣接して配置されている、請求項１５に記載のタンポンアプリケーター。
【請求項１７】
前記少なくとも１つのグリップ構造は、浮き彫り、スリット、溝、ルーバー、パーフォレーション、ランセットでの切開、摩耗媒体、高湿係数の摩擦材料、感圧接着剤およびこれらの組み合わせからなる群から選択される、請求項１２に記載のタンポンアプリケーター。
【請求項１８】
中に綿撒糸を収容し、中にプランジャーを受容するように構成されるバレルを有し、このバレルは、前記プランジャーを部分的に収容し、係合するように構成されるフィンガーグリップエリアを有し、このフィンガーグリップエリアは、浮き彫り、スリット、パーフォレーション、ランセット、摩耗媒体、高湿係数の摩擦材料、感圧接着剤およびこれらの組み合わせからなる群から選択される少なくとも１つのグリップ構造を持つ少なくとも１つの凹状のグリップ表面と、前記バレルと比較して減少された直径とを有する、タンポンアプリケーターであって、
前記少なくとも１つの凹状のグリップ表面と前記少なくとも１つのグリップ構造とは、前記綿撒糸によっておよび／または前記プランジャーによって前記バレルに与えられる排出力を克服するグリップ能力を与えることを特徴とする、タンポンアプリケーター。
【請求項１９】
前記フィンガーグリップエリアは、少なくとも１対の径方向に対向した凹状のグリップ表面を備えている、請求項１８に記載のタンポンアプリケーター。
【請求項２０】
前記フィンガーグリップエリアは、奇数の凹状のグリップ表面を備え、これら凹状のグリップ表面の少なくとも１つは、１対の隣接した凹状のグリップ表面と径方向で対向している、請求項１８に記載のタンポンアプリケーター。
【請求項２１】
前記フィンガーグリップエリアは、さらに少なくとも２つの角をなす肩部表面を備えている、請求項１８に記載のタンポンアプリケーター。
【請求項２２】
前記少なくとも１つの凹状のグリップ表面は、少なくとも２つの凹状のグリップ表面であり、前記少なくとも２つの角をなす肩部表面のそれぞれは、前記フィンガーグリップエリアの前記少なくとも２つの凹状のグリップ表面のそれぞれに隣接して配置されている、請求項２１に記載のタンポンアプリケーター。
【請求項２３】
中に綿撒糸を収容し、中にプランジャーを受容するように構成されたバレルを具備し、このバレルは、前記プランジャーを部分的に収容し、係合するように構成されるフィンガーグリップエリアを有し、このフィンガーグリップエリアは、浮き彫り、スリット、パーフォレーション、ランセット、感圧接着剤およびこれらの組み合わせからなる群から選択される少なくとも１つのグリップ構造を持つ奇数のほぼ平らにされた表面と、前記バレルと比較して小さい直径とを有する、タンポンアプリケーターであって、
前記ほぼ平らにされた表面の少なくとも１つは、１対の互いに隣接し、ほぼ平らにされた表面に対して径方向で対向し、また、
前記奇数のほぼ平らにされた表面と前記少なくとも１つのグリップ構造とは、前記綿撒糸によっておよび／または前記プランジャーによって、前記バレルに与えられる排出力を克服するグリップ能力を与える、タンポンアプリケーター。
【請求項２４】
中に綿撒糸を収容し、中にプランジャーを受容するように構成されたバレルを具備し、このバレルは、前記プランジャーを部分的に収容し、係合するように構成されるフィンガーグリップエリアを有し、このフィンガーグリップエリアは、浮き彫り、スリット、パーフォレーション、ランセット、感圧接着剤およびこれらの組み合わせからなる群から選択される少なくとも１つのグリップ構造を持つ少なくとも１つのほぼ平らにされた表面と、前記バレルと比較して小さい直径とを有する、タンポンアプリケーターであって、
前記少なくとも１つのほぼ平らにされた表面は、前記少なくとも１つのほぼ平らにされた表面の下に押し下げられており、また、
前記少なくとも１つのほぼ平らにされた表面と前記少なくとも１つのグリップ構造とは、前記綿撒糸によっておよび／または前記プランジャーによって、前記バレルに与えられる排出力を克服するグリップ能力を与える、タンポンアプリケーター。
【請求項２５】
中に綿撒糸を収容し、中にプランジャーを受容するように構成されたバレルを具備し、このバレルは、前記プランジャーを部分的に収容し、係合するように構成されるフィンガーグリップエリアを有し、このフィンガーグリップエリアは、少なくとも１つのグリップ構造を持つ偶数の凸状のグリップ表面と、前記バレルと比較して小さい直径とを有する、タンポンアプリケーターであって、
前記少なくとも１つの凸状のグリップ表面は、１対の互いに隣接した凸状のグリップ表面に対して径方向で対向し、また、
前記偶数の凸状のグリップ表面と前記少なくとも１つのグリップ構造とは、前記綿撒糸によっておよび／または前記プランジャーによって、前記バレルに与えられる排出力を克服するグリップ能力を与える、タンポンアプリケーター。
【請求項２６】
中に綿撒糸を収容し、中にプランジャーを受容するように構成されたバレルを具備し、このバレルは、前記プランジャーを部分的に収容し、係合するように構成されるフィンガーグリップエリアを有し、このフィンガーグリップエリアは、浮き彫り、スリット、パーフォレーション、ランセット、感圧接着剤およびこれらの組み合わせからなる群から選択される少なくとも１つのグリップ構造を持つ奇数の凹状のグリップ表面と、前記バレルと比較して小さい直径とを有する、タンポンアプリケーターであって、
前記凹状のグリップ表面の少なくとも１つは、１対の互いに隣接した凹状のグリップ表面に対して径方向で対向し、また、
前記奇数の凹状のグリップ表面と前記少なくとも１つのグリップ構造とは、前記綿撒糸によっておよび／または前記プランジャーによって、前記バレルに与えられる排出力を克服するグリップ能力を与える、タンポンアプリケーター。